(57)【要約】【課題】フロアパネルに形成された配線取出開口を塞ぐ塞ぎ板と、該塞ぎ板に設けられた配線取出用の切欠きを開閉する蓋片とを切り離すことなく一体性を維持して、配線取出空間の開放及び閉塞を可能にするフロアパネルの塞ぎ板を提供する。【解決手段】フロアパネル３に形成された配線取出開口４の開口縁に突設された載置用縁部４ａに載置された際に、フロアパネル上面と同一平面となる表面を有する平板部１３と、平板部の裏面に突設される補強部と、平板部の一辺に形成される配線取出用の切欠き１１と一体に設けられる略矩形状の蓋片１２と、を具備し、蓋片の周囲と切欠きとの接合は、切欠きの両側辺では切り離し可能な薄肉連結部１４で連結すると共に、切欠きの奥辺では繰返し折り曲げ可能なヒンジ部１５で連結する。【選択図】図２Ａ
2015212492.tif 000002
【特許請求の範囲】
【請求項１】
フロアパネルに形成された配線取出開口の開口縁に段差状に突設された載置用縁部に載置されて、上記配線取出開口を塞ぐ合成樹脂製のフロアパネルの塞ぎ板であって、
上記載置用縁部に載置された際に、上記フロアパネル上面と同一平面となる表面を有する平板部と、
上記平板部の裏面に突設される補強部と、
上記平板部の一辺に形成される配線取出用の切欠きと一体に設けられる略矩形状の蓋片と、を具備し、
上記蓋片の周囲と上記切欠きとの接合が、上記切欠きの両側辺では切り離し可能な薄肉連結部で連結されると共に、上記切欠きの奥辺では繰返し折り曲げ可能なヒンジ部で連結されている、ことを特徴とするフロアパネルの塞ぎ板。
【請求項２】
請求項１記載のフロアパネルの塞ぎ板において、
上記蓋片の対向する両側辺に突設される一対の爪部と、上記補強部における上記切欠きを挟んだ対向部位に突設される受け部と、を更に具備し、
上記蓋片は上記ヒンジ部を介して回動した際に、上記爪部が上記受け部に係合して上記切欠きの開放状態を維持する、ことを特徴とするフロアパネルの塞ぎ板。
【請求項３】
請求項１又は２に記載のフロアパネルの塞ぎ板において、
上記蓋片は上記平板部より薄肉に形成され、該蓋片の先端側の裏面に、上記載置用縁部の上面に当接可能な脚部が突設されると共に、該脚部に連なって上記蓋片のヒンジ部側に向かう補強リブが延設されている、ことを特徴とするフロアパネルの塞ぎ板。
【請求項４】
請求項１ないし３のいずれかに記載のフロアパネルの塞ぎ板において、
上記補強部は、
上記切欠きの奥辺側で上記ヒンジ部と平行に延びる第１の直状リブと、上記第１の直状リブの中間部から該第１の直状リブに対して直交状に延びる第２の直状リブと、を含む矩形枠状の一対の主補強部と、
上記第１の直状リブと、該第１の直状リブにおける上記切欠きの側辺部側から該第１の直状リブに対して直交状に延びる第３の直状リブと、を含む矩形枠状の一対の補助補強部と、を具備してなり、
上記第１ないし第３の直状リブ、主補強部及び補助補強部の各リブの肉厚が同一に形成されている、ことを特徴とするフロアパネルの塞ぎ板。
【発明の詳細な説明】
【技術分野】
【０００１】
この発明は、フロアパネルの塞ぎ板に関するもので、更に詳細には、例えば、コンピュータシステムの端末機器や通信機器等の設備を載置するフリーアクセスフロアパネルに形成された配線取出開口を塞ぐフロアパネルの塞ぎ板に関するものである。
【背景技術】
【０００２】
一般に、基礎となる床と増設した床の間で自由に配線できるようにした二重床を構成するフリーアクセスフロアパネルにおいては、配線取出開口を塞ぐ塞ぎ板に配線取出用の切欠きを設けて、配線の一部を取り出せるようにしている。
【０００３】
この種の塞ぎ板においては、配線取出用の切欠きを形成した後に、レイアウトの変更に伴う配線の変更等によって切欠きを塞ぐ必要がある。
【０００４】
そのため、従来では、配線取出用の切欠きを切り離し可能に形成し、切り離した部材を配線取出用の切欠きの塞ぎ部材に供せるようにしたものが知られている（例えば、特許文献１，２参照）。
【０００５】
特許文献１，２に記載のものは、いずれも配線取出開口を塞ぐ塞ぎ板に設けられた切欠きと、この切欠きを閉塞可能な蓋片とを連結した状態で一体成形した構造であり、蓋片を塞ぎ板から切り離した後に、蓋片に設けた軸や突出部等を切欠きに設けた孔や凹部等に嵌合あるいは係合させて、切欠きを開放して配線を取り出すか、あるいは、不要の切欠きを塞いでいる。
【０００６】
このように構成されるこの種の塞ぎ板は、フロアパネルに設けられた配線取出開口を塞ぐため、機械的強度や耐衝撃性を有する必要があり、また、成形加工が容易であることを考慮して、合成樹脂の射出成形によって一体成形されている。
【先行技術文献】
【特許文献】
【０００７】
【特許文献１】特許第２７１７７５１号公報
【特許文献２】実用新案登録第２５８９４７２号公報
【発明の概要】
【発明が解決しようとする課題】
【０００８】
しかしながら、特許文献１，２に記載のものは、いずれも使用に際して、蓋片を塞ぎ板から切り離して、再度、蓋片に設けた軸や突出部等を切欠きに設けた孔や凹部等に嵌合あるいは係合させて使用するため、配線の取り出しや不要な切欠きを閉じる配線作業に手間を要する。また、同時に複数箇所の配線作業を行う場合には、塞ぎ板から切り離された蓋片は、直ちに切欠きに取り付けないと紛失する懸念がある。
【０００９】
また、蓋片と塞ぎ板に設けられる、互いに嵌合又は係合可能な突出部と凹部等は、蓋片と塞ぎ板を一体成形する場合は、突出部と凹部等とを別の位置に設ける必要があるため、射出成形に用いられる金型に上記突出部と凹部等の形成部を別の箇所に設ける必要がある。したがって、金型が複雑になる上、生産コストが嵩む懸念がある。
【００１０】
この発明は、上記事情に鑑みてなされたもので、フロアパネルに形成された配線取出開口を塞ぐ塞ぎ板と、該塞ぎ板に設けられた配線取出用の切欠きを開閉する蓋片とを切り離すことなく一体性を維持して、配線取出空間の開放及び閉塞を可能にするフロアパネルの塞ぎ板を提供する。
【課題を解決するための手段】
【００１１】
上記課題を解決するために、この発明に係るフロアパネルの塞ぎ板は、フロアパネルに形成された配線取出開口の開口縁に段差状に突設された載置用縁部に載置されて、上記配線取出開口を塞ぐ合成樹脂製のフロアパネルの塞ぎ板であって、上記載置用縁部に載置された際に、上記フロアパネル上面と同一平面となる表面を有する平板部と、上記平板部の裏面に突設される補強部と、上記平板部の一辺に形成される配線取出用の切欠きと一体に設けられる略矩形状の蓋片と、を具備し、  上記蓋片の周囲と上記切欠きとの接合が、上記切欠きの両側辺では切り離し可能な薄肉連結部で連結されると共に、上記切欠きの奥辺では繰返し折り曲げ可能なヒンジ部で連結されている、ことを特徴とする（請求項１）。
【００１２】
このように構成することにより、フロアパネルに形成された配線取出開口を塞ぐ平板部と、該平板部の一辺に形成される配線取出用の切欠きと一体に設けられる略矩形状の蓋片とを有する合成樹脂製の塞ぎ板を射出成形によって一体成形することができる。また、一体成形後、切欠きの奥辺を繰返し折り曲げ可能なヒンジ部で連結した状態で、切欠きの両側辺の薄肉連結部を切り離して、蓋片によって配線取出用の切欠きの開放及び閉塞を可能にすることができる。
【００１３】
この発明において、上記蓋片の対向する両側辺に突設される一対の爪部と、上記補強部における上記切欠きを挟んだ対向部位に突設される受け部と、を更に具備し、上記蓋片は上記ヒンジ部を介して回動した際に、上記爪部が上記受け部に係合して上記切欠きの開放状態を維持する構造とするのが好ましい（請求項２）。
【００１４】
このように構成することにより、ヒンジ部を介して蓋片を回動して、蓋片の対向する両側辺に突設される一対の爪部を、補強部における切欠きを挟んだ対向部位に突設される受け部に係合して切欠きの開放状態を維持することができるので、切欠きを開放した状態の蓋片の閉塞方向への移動を阻止することができ、配線の取出作業を容易にすることができると共に、配線の取出状態を安定にすることができる。
【００１５】
また、この発明において、上記蓋片は上記平板部より薄肉に形成され、該蓋片の先端側の裏面に、上記載置用縁部の上面に当接可能な脚部が突設されると共に、該脚部に連なって上記蓋片のヒンジ部側に向かう補強リブが延設されているのが好ましい（請求項３）。
【００１６】
このように構成することにより、蓋片の回動操作を容易にすることができると共に、切欠きの閉塞時には蓋片の上面を塞ぎ板の上面及びフロアパネルの上面と同一面にすることができ、かつ、蓋片に強度をもたせることができる。
【００１７】
加えて、この発明において、上記補強部は、上記切欠きの奥辺側で上記ヒンジ部と平行に延びる第１の直状リブと、上記第１の直状リブの中間部から該第１の直状リブに対して直交状に延びる第２の直状リブと、を含む矩形枠状の一対の主補強部と、上記第１の直状リブと、該第１の直状リブにおける上記切欠きの側辺部側から該第１の直状リブに対して直交状に延びる第３の直状リブと、を含む矩形枠状の一対の補助補強部と、を具備してなり、上記第１ないし第３の直状リブ、主補強部及び補助補強部の各リブの肉厚が同一に形成されているのが好ましい（請求項４）。
【００１８】
このように構成することにより、塞ぎ板に最も応力が集中する部位に強度をもたせることができる。また、補強部を構成する各リブの肉厚を同一にすることで、合成樹脂製の塞ぎ板を射出成形によって作製した場合、平板部の表面に凹み（シンクマーク）が生じるのを防止することができる。
【発明の効果】
【００１９】
この発明によれば、上記のように構成されているので、以下のような優れた効果が得られる。
【００２０】
（１）請求項１記載の発明によれば、フロアパネルに形成された配線取出開口を塞ぐ塞ぎ板と、該塞ぎ板に設けられた配線取出用の切欠きを開閉する蓋片とを切り離すことなく一体性を維持して、配線取出空間の開放及び閉塞を可能にすることができる。
【００２１】
（２）請求項２記載の発明によれば、上記（１）に加えて、更に切欠きを開放した状態の蓋片の閉塞方向への移動を阻止することができ、配線の取出作業を容易にすることができると共に、配線の取出状態を安定にすることができる。
【００２２】
（３）請求項３記載の発明によれば、上記（１），（２）に加えて、更に蓋片の回動操作を容易にすることができると共に、切欠きの閉塞時の蓋片に強度をもたせることができる。
【００２３】
（４）請求項４記載の発明によれば、上記（１）〜（３）に加えて、更に塞ぎ板に最も応力が集中する部位に強度をもたせることができる。また、補強部を構成する各リブの肉厚を同一にすることで、合成樹脂製の塞ぎ板を射出成形によって作製した場合、平板部の表面に凹み（シンクマーク）が生じるのを防止することができる。
【図面の簡単な説明】
【００２４】
【図１】この発明に係る塞ぎ板の使用状態を示す概略斜視図である。
【図２Ａ】この発明の第１実施形態における塞ぎ板の蓋片を閉じた状態を示す平面図である。
【図２Ｂ】図２ＡのＩ−Ｉ線に沿う拡大断面図である。
【図２Ｃ】図２ＢのII部拡大断面図である。
【図３Ａ】この発明の第１実施形態における塞ぎ板の蓋片を開放した状態を示す平面図である。
【図３Ｂ】図３ＡのIII−III線に沿う拡大断面図である。
【図４】図２ＡのIV−IV線に沿う拡大断面図（ａ）及び（ａ）のＡ部拡大断面図（ｂ）である。
【図５】第１実施形態における塞ぎ板の下方斜視図である。
【図６】上記蓋片を閉じた状態の塞ぎ板の底面図である。
【図７】上記蓋片を開放した状態の塞ぎ板の底面図である。
【図８】上記蓋片を閉じた状態の要部拡大底面図である。
【図９】図８のＶ−Ｖ線に沿う拡大断面図である。
【図１０Ａ】この発明の第２実施形態における塞ぎ板の蓋片を閉じた状態を示す平面図である。
【図１０Ｂ】図１０ＡのVI−VI線に沿う拡大断面図である。
【図１１Ａ】この発明の第２実施形態における塞ぎ板の蓋片を開放した状態を示す平面図である。
【図１１Ｂ】図１１ＡのVII−VII線に沿う拡大断面図である。
【図１２】図１０ＡのVIII−VIII線に沿う拡大断面図（ａ）及び（ａ）のＢ部拡大断面図（ｂ）である。
【図１３】第２実施形態の塞ぎ板の底面図である。
【発明を実施するための形態】
【００２５】
以下に、この発明に係る塞ぎ板の実施形態を添付図面に基づいて詳細に説明する。
【００２６】
＜第１実施形態＞
図１に示すように、床基部１上にマトリックス状に配置されたパネル支持体２に載置される略方形状の珪酸カルシウムボード製のフリーアクセスフロアパネル３（以下に、フロアパネル３という）の辺部に配線取出開口４が形成されており、この配線取出開口４をこの発明に係る塞ぎ板１０によって塞ぎ、塞ぎ板１０に設けられた後述する配線取出用の切欠き１１を介してタップコード５等を取り出せるようにしている。この場合、配線取出開口４は、角部が円弧状をなす略コ字状に形成されており、配線取出開口４の開口縁に段差状に載置用縁部４ａが突設されている。
【００２７】
なお、図１に示すように、パネル支持体２は、下端に設けられた設置基板２ａが床基部１に接着固定され、上端部に設けられた受け基板２ｂ上にフロアパネル３の四隅部を載置している。このようにして敷設されたフロアパネル３の上面にはカーペット６が敷設される。
【００２８】
この発明に係る塞ぎ板１０は、例えば、ポリプロピレン等の合成樹脂製の射出成形品にて形成されている。塞ぎ板１０は、図２Ａないし図４に示すように、配線取出開口４の載置用縁部４ａに載置された際に、フロアパネル３の上面と同一平面となる表面を有する平板部１３と、平板部１３の裏面に突設される補強部２０と、平板部１３の一辺に形成される配線取出用の切欠き１１と一体に設けられる略矩形状の蓋片１２と、を具備している。蓋片１２は、平板部１３の上面と同一の上面を有するが、平板部１３より薄肉に形成されている。
【００２９】
蓋片１２の周囲と切欠き１１との接合が、切欠き１１の両側辺では切り離し可能な薄肉連結部１４で連結されると共に、切欠き１１の奥辺では繰返し折り曲げ可能なヒンジ部１５で連結されている。
【００３０】
この場合、図８及び図９に示すように、薄肉連結部１４は、切欠き１１の両側辺における奥辺より手前側に設けられており、断面が下方に向かって略Ｕ字状に屈曲されている。このように、薄肉連結部１４を断面略Ｕ字状に形成することにより、蓋片１２の両側辺を切り離す際に、カッター等の工具を薄肉連結部１４に誘導して薄肉連結部１４の切断を容易にすることができる。
【００３１】
また、図２Ｃに示すように、ヒンジ部１５は、上面が凹円弧状に形成され、下面が平坦状に形成されている。このように、ヒンジ部１５の上面を凹円弧状に形成し、下面を平坦状に形成することにより、ヒンジ部１５の繰返し折り曲げを容易にすることができると共に、蓋片１２の水平位置、すなわち、切欠き１１の閉塞位置への復元を容易にすることができる。
【００３２】
また、蓋片１２の対向する両側辺には、一対の爪部１６が突設されている。この爪部１６の先端部は、外側に向かって膨隆状に形成されている（図９参照）。
【００３３】
一方、補強部２０における切欠き１１を挟んだ対向部位には、受け部１７が突設されている。この受け部１７は爪部１６と係合可能に形成されており、蓋片１２がヒンジ部１５を介して回動した際に、爪部１６が受け部１７に係合して、切欠き１１の開放状態を維持することができる（図３Ａ及び図３Ｂ参照）。
【００３４】
また、図５，図６及び図８に示すように、蓋片１２の先端側の中央部裏面に、載置用縁部４ａの上面に当接可能な矩形ブロック状の脚部１８が突設されると共に、該脚部１８に連なって蓋片１２のヒンジ部側に向かう補強リブ１９が延設されている。
【００３５】
このように、蓋片１２の先端側の中央部裏面に、載置用縁部４ａの上面に当接可能な脚部１８を突設すると共に、該脚部１８に連なって蓋片１２のヒンジ部側に向かう補強リブ１９を延設することにより、蓋片１２の回動操作を容易にすることができると共に、切欠き１１の閉塞時には蓋片１２の上面を塞ぎ板１０の上面及びフロアパネル３の上面と同一面にすることができ、かつ、蓋片１２に強度をもたせることができる。
【００３６】
上記補強部２０は、図５ないし図７に示すように、切欠き１１の奥辺側でヒンジ部１５と平行に延びる第１の直状リブ２１と、第１の直状リブ２１の中間部から該第１の直状リブ２１に対して直交状に延びる第２の直状リブ２２と、を含む矩形枠状の一対の主補強部２４と、第１の直状リブ２１と、該第１の直状リブ２１における切欠き１１の側辺部側から該第１の直状リブ２１に対して直交状に延びる第３の直状リブ２３と、を含む矩形枠状の一対の補助補強部２５と、を具備してなり、第１ないし第３の直状リブ２１，２２，２３、主補強部２４及び補助補強部２５の各リブの肉厚が同一に形成されている。また、両主補強部２４における第２の直状リブ２２と、第２の直状リブ２２と対向する直状リブ２６における中間部に、第１の直状リブ２１と平行であって、かつ、第１の直状リブ２１と肉厚が同一な補助直状リブ２７が設けられている。
【００３７】
なお、切欠き１１側に位置する補助補強部２５の端部は、切欠き１１の開放側に向かって円弧状に形成されている（図５参照）。このように、補助補強部２５の端部を、切欠き１１の開放側に向かって円弧状に形成することにより、配線取出開口４に塞ぎ板１０を取り付ける際や、取外しする際に、配線取出開口４に補強部２０が干渉するのを防止することができるので、塞ぎ板１０の取り付け、取り外しを容易にすることができる。
【００３８】
上記のように構成される補強部２０によれば、塞ぎ板１０に最も応力が集中する部位に強度をもたせることができる。すなわち、塞ぎ板１０における切欠き１１を設けた箇所の周囲に補強部２０を設けることによって塞ぎ板１０に強度をもたせることができる。また、補強部２０を構成する各リブ、すなわち、第１ないし第３の直状リブ２１，２２，２３、直状リブ２６及び補助直状リブ２７の肉厚を同一にすることで、塞ぎ板１０を射出成形によって作製した場合、平板部１３の表面に凹み（シンクマーク）が生じるのを防止することができる。
【００３９】
なお、平板部１３の裏面における補強部２０の両側の近傍位置には、一対の弾性変形可能なパネル係合爪３０が突設されている。このパネル係合爪３０は、図４（ｂ）に示すように、外側面に複数の凹凸部３１が設けられており、この凹凸部３１の一部がフロアパネル３の配線取出開口４の内側面に弾発係合し得るようになっている。
【００４０】
＜第２実施形態＞
第２実施形態は、スチール製のフロアパネル３Ａに形成された配線取出開口４を塞ぐ塞ぎ板１０Ａに関するものである。
【００４１】
スチール製のフロアパネル３Ａは、図１０Ｂ，図１１Ｂ及び図１２に示すように、スチール製の表面板４１と、スチール製の裏面板４２と、表面板４１と裏面板４２の間に充填される充填材４３と、を具備し、表面板４１と裏面板４２の辺部に段差状の載置用縁部４ｂが形成されている。
【００４２】
この場合、表面板４１の辺部には、表面板４１の辺部に屈曲される垂下部４４と、垂下部４４の下端から屈曲される上部水平部４５と、上部水平部４５の先端から内方に向かって屈曲される内曲げ部４６と、が形成されている。
【００４３】
一方、裏面板４２の辺部には、裏面板４２の辺部に屈曲される起立部４７と、起立部４７の先端から屈曲される下部水平部４８と、が形成されている。
【００４４】
上記のように形成された表面板４１の上部水平部４５と裏面板４２の下部水平部４８とを重合した状態で内曲げ部４６をかしめて段差状の載置用縁部４ａが形成される。また、配線取出開口４の対向する載置用縁部４ａには、塞ぎ板１０Ａに設けられた後述する位置決め用突起５０が嵌合可能な貫通孔４９が設けられている。
【００４５】
第２実施形態の塞ぎ板１０Ａは、第１実施形態と同様に、例えば、ポリプロピレンの射出成形品にて形成されている。
【００４６】
第２実施形態の塞ぎ板１０Ａは、配線取出開口４の載置用縁部４ａに載置された際に、フロアパネル３の上面と同一平面となる表面を有する平板部１３を具備し、この平板部１３の裏面における補強部２０の両側の近傍位置に突設される一対のパネル係合爪３０の外側にそれぞれ位置決め用突起５０が突設されている。この位置決め用突起５０が載置用縁部４ａに設けられた貫通孔４９に嵌合可能になっている。
【００４７】
第２実施形態において、その他の部分は第１実施形態と同じであるので、同一部分には同一符号を付して説明は省略する。
【００４８】
＜その他の実施形態＞
上記実施形態では、塞ぎ板１０，１０Ａに一つの切欠き１１と、該切欠き１１を開閉する蓋片１２とを設ける場合について説明したが、塞ぎ板１０，１０Ａに複数例えば二つの切欠き１１を設けると共に、各切欠き１１を開閉する蓋片１２を設けるようにしてもよい。
【００４９】
上記にように構成される実施形態の塞ぎ板１０，１０Ａは、フロアパネル３，３Ａに形成された配線取出開口４の開口縁に段差状に突設された載置用縁部４ａ，４ｂに載置された状態では、平板部１３の上面がフロアパネル３，３Ａの上面と同一の状態で配線取出開口４を塞ぐことができる。
【００５０】
フロアパネル３，３Ａに配線する場合は、塞ぎ板１０，１０Ａの平板部１３に形成された配線取出用の切欠き１１の両側辺の薄肉連結部１４をカッター等の工具で切り離し、ヒンジ部１５を介して蓋片１２を下方へ回動して、切欠き１１を開放し、切欠き１１の空間部に例えばタップコード５等を配線する。この際、蓋片１２の裏面に突設された一対の爪部１６を補強部２０における切欠き１１を挟んだ対向部位に突設された受け部１７に係合させることによって切欠き１１の開放状態が維持できるので、配線の取付作業を容易にすると共に、配線の取付状態を安定させることができる。
【００５１】
レイアウトの変更に伴う配線の変更等によって切欠き１１を塞ぐ場合は、切欠き１１の空間部に配線されたタップコード５等を取り外した後、爪部１６と受け部１７との係合を解いて、蓋片１２を上方へ回動し、蓋片１２の裏面に突設された脚部１８を配線取出開口４の開口縁に突設された載置用縁部４ａ，４ｂ上に載置して切欠き１１を塞ぐ。この状態では、蓋片１２の裏面に突設された脚部１８が配線取出開口４の開口縁に突設された載置用縁部４ａ，４ｂ上に載置されているので、蓋片１２の上面は平板部１３の上面及びフロアパネル３，３Ａの上面と同一になり、段部が生じることがない。また、蓋片１２の裏面に突設された脚部１８に連なって蓋片１２のヒンジ部１５側に向かう補強リブ１９が延設されているので、蓋片１２に強度をもたせることができる。
【００５２】
また、実施形態の塞ぎ板１０，１０Ａは、ポリプロピレンの射出成形によって塞ぎ板１０，１０Ａと蓋片１２とを切り離さずに一体成形できるので、蓋片１２を切り離して使用するものに比べて金型の形状を簡単にすることができると共に、成形を容易にすることができ、かつ、生産コストの削減が図れる。
【００５３】
また、ポリプロピレンは、引張り強さ，曲げ強さ，剛性等が大きい上、粘性を有するので、ヒンジ部１５を繰返し折り曲げても蓋片１２は塞ぎ板１０，１０Ａから切り離されることはない。
【符号の説明】
【００５４】
３，３Ａ  フロアパネル
４  配線取出開口
４ａ，４ｂ  載置用縁部
１０，１０Ａ  塞ぎ板
１１  切欠き
１２  蓋片
１３  平板部
１４  薄肉連結部
１５  ヒンジ部
１６  爪部
１７  受け部
１８  脚部
１９  補強リブ
２０  補強部
２１  第１の直状リブ
２２  第２の直状リブ
２３  第３の直状リブ
２４  主補強部
２５  補助補給部
２７  補助直状リブ
【図１】
2015212492.tif 000003
【図２Ａ】
2015212492.tif 000004
【図２Ｂ】
2015212492.tif 000005
【図２Ｃ】
2015212492.tif 000006
【図３Ａ】
2015212492.tif 000007
【図３Ｂ】
2015212492.tif 000008
【図４】
2015212492.tif 000009
【図５】
2015212492.tif 000010
【図６】
2015212492.tif 000011
【図７】
2015212492.tif 000012
【図８】
2015212492.tif 000013
【図９】
2015212492.tif 000014
【図１０Ａ】
2015212492.tif 000015
【図１０Ｂ】
2015212492.tif 000016
【図１１Ａ】
2015212492.tif 000017
【図１１Ｂ】
2015212492.tif 000018
【図１２】
2015212492.tif 000019
【図１３】
2015212492.tif 000020